(57)【要約】【課題】    従来のサンプル提供では、食料品の賞味期限の短いサンプルや鮮度が重視されるサンプルを配送する場合にも、各食料品メーカーは消費者に対して、個別にサンプルの受注、発送を行なわなければならなかった、そのため、サンプル配布における作業量や配送コストが大きく膨らんでおり、このようなサンプルを配送することが難しい状況にあった。また、サンプル提供の対象を十分に集められていないという状況もあった。【解決手段】    各食料品メーカーが提供するサンプルを分類して、マスタ登録をすることで一括管理を行う。その情報をホームページ上に掲載をして、サンプル提供の対象を集める。各サンプルの請求数を一定期間毎に集計して発注を行い、後日、納品されたサンプルを請求者毎に纏めて発送する。本発明により、各食料品メーカーが、食料品の賞味期限の短いサンプルや鮮度が重視されるサンプルを配送する場合にも、作業量や配送コストを軽減することができる。【選択図】  図１
2007034996.tif 000002
【特許請求の範囲】
【請求項１】
各食料品メーカーが提供するサンプルを分類して、マスタ登録をすることで一括管理を行う。分類方法は、「味覚別」「形状別」「メーカー別」とする。各食料品メーカーにコード番号をつけることで管理を行い、その下につながる項目として「店名」「担当者名」「店舗所在地」「連絡先電話番号」「店の説明」「店長のコメント」としマスタ登録とする。また、各食料品メーカーのコード番号の下に、サンプルコード番号をつけて、各食料品メーカーの提供するサンプルの管理を行う。サンプルコード番号の下につながる項目として、「商品名」「商品の説明」「味の説明」「商品の重量」「味の評価（酸味、甘みなど）」とする。
【請求項２】
（請求項１）においてマスタ登録である、各食料品メーカーの項目内容「店名」「担当者名」「店舗所在地」「連絡先電話番号」「店の説明」「店長のコメント」、各食料品メーカーの提供するサンプルの項目内容「商品名」「商品の説明」「味の説明」「商品の重量」「味の評価（酸味、甘みなど）」を、サンプル情報としてインターネットのホームページ上に掲載する。消費者は、ホームページ上でサンプルの情報を閲覧可能とする。サンプルの情報は、「全サンプル一覧」「味覚別」「形状別」「メーカー別」に各ページが作成されている。消費者はホームページ上の目的のページにアクセスをして、掲載してあるサンプルの情報を入手することができる。
【請求項３】
消費者はインターネット上のホームページに掲載してあるサンプルを、一括管理センターに請求することができる。一括管理センターでは、サンプルの請求をした各消費者に対して、重複することの無い「顧客番号」を与える。一括管理センターでは、一週間又は一ヶ月毎に、各消費者からの発注について、請求のあったサンプルのサンプルコード番号（請求項１で食料品メーカーのコード番号の下につけた番号）毎に、消費者からのサンプルの請求数を集計する。サンプルの請求数を集計した一括管理センターは、サンプルコード番号に該当する食料品メーカーに対して、集計をしたサンプル請求数の発注を行う。
【請求項４】
（請求項３）で、一括管理センターから発注を受けた各食料品メーカーは、一括管理センターに向けて、一定期間毎に集計したサンプル請求数のサンプルの発送を行う。各食料品メーカーは、発送の際に、一括管理センターからサンプル毎に指定をされた「顧客番号」を、サンプルの容器に記載をする。各食料品メーカーが発送をしたサンプルが到着した一括管理センターでは、各サンプルに記載された「顧客番号」に従い、「顧客番号」毎に消費者が請求をしたサンプルを纏めて、「顧客番号」に該当をする消費者に向けてサンプルの発送をする。
【発明の詳細な説明】
【技術分野】
【０００１】  本発明は、インターネット上の技術を利用したものであり、インターネット上でこの発明を実行することができる。
【背景技術】
【０００２】  従来から、各食料品メーカーは、卸、小売、消費者に対してサンプル提供を行ってきた。食料品の中でも賞味期限の短いサンプルや鮮度が重視されるサンプルにおいても、各食料品メーカーが個別に受注、発送を行ってきた。卸、小売、消費者に対し、食料品メーカーがサンプルを提供する場として、インターネットを利用したものもある。
【発明の開示】
【発明が解決しようとする課題】
【０００３】  従来のようなサンプル提供では、食料品の中でも賞味期限の短いサンプルや鮮度が重視されるサンプルを配送する場合にも、各食料品メーカーが消費者に対して、個別にサンプルの受注、発送を行なわなければならなかった、そのため、各食料品メーカーのサンプル配布における作業量や配送コストが大きく膨らんでいる状態にあり、賞味期限の短いサンプルや鮮度が重視されるサンプルを配送することが難しい状況にあった。そのようなサンプルの提供方法が、各食料品メーカーの商品価格やサンプル価格を上げる要因となっていた。【０００４】  従来のようなサンプル提供方法の、賞味期限の短いサンプルや鮮度が重視されるサンプルを提供するのが難しいという状況の中で、消費者は新鮮なサンプルを入手することができず、賞味期限の短いサンプルや鮮度が重視されるサンプルを、品質が損なわれている状態で入手することがあった。人体に害を及ぼす可能性のあるサンプル商品を入手させられる危険性もあった。【０００５】  従来のような、各食料品メーカーが個別にサンプル提供を行う場合、消費者にサンプルを配布したいが、十分な数のサンプル提供対象の消費者を見つけることが難しいという場合があった。このような食料品メーカーは、サンプル提供を試みても、十分な数のサンプル提供ができないという状況にあった。
【課題を解決するための手段】
【０００６】  各食料品メーカーが提供するサンプルを分類して、マスタ登録をすることで一括管理を行う。分類方法は、「味覚別」「形状別」「メーカー別」とする。各食料品メーカーにコード番号をつけることで管理を行い、その下につながる項目として「店名」「担当者名」「店舗所在地」「連絡先電話番号」「店の説明」「店長のコメント」としマスタ登録とする。また、各食料品メーカーのコード番号の下に、サンプルコード番号をつけて、各食料品メーカーの提供するサンプルの管理を行う。サンプルコード番号の下につながる項目として、「商品名」「商品の説明」「味の説明」「商品の重量」「味の評価（酸味、甘みなど）」とする。【０００７】  （０００６）においてマスタ登録である、各食料品メーカーの項目内容「店名」「担当者名」「店舗所在地」「連絡先電話番号」「店の説明」「店長のコメント」、各食料品メーカーの提供するサンプルの項目内容「商品名」「商品の説明」「味の説明」「商品の重量」「味の評価（酸味、甘みなど）」をインターネットのホームページ上に掲載する。（以下、食料品メーカー公開情報とする。）消費者は、ホームページ上でサンプルの情報を閲覧可能とする。サンプルの情報は、「全サンプル一覧」「味覚別」「形状別」「メーカー別」に各ページが作成されている。消費者はホームページ上の目的のページにアクセスをして、掲載してあるサンプルの情報を入手することができる。【０００８】  消費者はインターネット上のホームページに掲載してあるサンプルを、一括管理センターに請求することができる。一括管理センターでは、サンプルの請求をした各消費者に対して、重複することの無い「顧客番号」を与える。一括管理センターでは、一週間又は一ヶ月毎に、各消費者からの発注について、請求のあったサンプルのサンプルコード番号（０００６で食料品メーカーのコード番号の下につけた番号）毎に、消費者からのサンプル請求数を集計する。サンプル請求数の集計をした一括管理センターは、サンプルコード番号に該当する食料品メーカーに対して、集計をしたサンプル請求数のサンプルの発注を行う。【０００９】  （０００８）で、一括管理センターから発注を受けた各食料品メーカーは、一括管理センターに向けて、一定期間毎に集計したサンプル請求数のサンプルの発送を行う。各食料品メーカーは、発送の際に、一括管理センターからサンプル毎に指定をされた「顧客番号」を、サンプルの容器に記載をする。各食料品メーカーが発送をしたサンプルが到着した一括管理センターでは、各サンプルに記載された「顧客番号」に従い、「顧客番号」毎に消費者が請求をしたサンプルを纏めて、「顧客番号」に該当をする消費者に向けてサンプルの発送をする。
【発明の効果】
【００１０】  本発明により、各食料品メーカーが、食料品の中でも賞味期限の短いサンプルや鮮度が重視されるサンプルを配送する場合にも、サンプル配布における作業量や配送コストの大きく膨らむ状態を防止することができる。そのため、各食料品メーカーが、賞味期限の短いサンプルや鮮度が重視されるサンプルを配送することが難しいという、状況を変えることができる。また、サンプル提供のコストの増加による、各食料品メーカーの商品価格やサンプル価格が上がることを防止することができる。【００１１】  本発明により、消費者は、食料品の中でも賞味期限の短いサンプルや鮮度が重視されるサンプルを、品質が損なわれている状態で入手をすることを防止できる。また、人体に害を及ぼす可能性のあるサンプルを入手させられることを防止することができる。【００１２】  従来では、十分な数のサンプル提供対象の消費者を見つけることが難しかった各食料品メーカーが、本発明により、十分な数のサンプル提供先を見つけることができるようになる。
【発明を実施するための最良の形態】
【００１３】  インターネットのホームページ上に、各食料品メーカーのサンプルの情報を掲載をして、各食料品メーカーから消費者にサンプルを提供するという、インターネットを利用したサンプル提供形態である。
【実施例】
【００１４】１．一括管理センターは、各食料品メーカーが提供するサンプルの情報を分類して、マスタ登録をする。
２．一括管理センターは、各食料品メーカーのマスタ登録の情報の中の食料品メーカー公開情報に該当をする情報を、インターネットのホームページ上に掲載する。
３．消費者は、ホームページ上で掲載された食料品メーカー公開情報から、サンプル請求を希望するサンプルを選択して、一括管理センターに対して発注をする。
４．一括集中管理センターでは、一週間又は一ヶ月毎に、各消費者からの発注について、請求のあったサンプルのサンプルコード番号毎に、消費者からのサンプル請求数を集計する。
５．サンプル請求数の集計をした一括管理センターは、サンプルコード番号に該当する食料品メーカーに対して、集計をしたサンプル請求数の発注を行う。
６．一括管理センターから発注を受けた各食料品メーカーは、一括管理センターに向けて、一定期間毎に集計したサンプル請求数のサンプルの発送を行う。各食料品メーカーは、発送の際に、一括管理センターからサンプル毎に指定をされた「顧客番号」を、サンプルの容器に記載をする。
７．各食料品メーカーが発送をしたサンプルが到着した一括管理センターでは、各サンプルに記載された「顧客番号」に従い、「顧客番号」毎に消費者が請求をしたサンプルを纏めて、「顧客番号」に該当をする消費者に向けてサンプルの発送をする。
【産業上の利用可能性】
【００１５】  本発明に関わるシステムは、食料品メーカーのサンプル提供において利用可能であるため、産業上の利用可能性を有す。
【図面の簡単な説明】
【００１６】
【図１】  実施例の（００１４）の全体の流れをまとめる。
【図１】
2007034996.tif 000003